(57)【要約】      （修正有）【課題】結い上げに特化させたウィッグを提供する。【解決手段】このウィッグ１０は、紐状体３に人造毛髪４を植毛したウィッグパーツ２を、ネット状のウィッグキャップ１に所定間隔で取り付けたものであって、ウィッグキャップ１の頭頂部より下方の人造毛髪４を持ち上げるようにセットしたときに、ウィッグキャップ１又は地毛が外側から見えにくくなるように、該セット箇所のウィッグパーツ２同士の間隔を詰めて配置したものである。これにより、例えばコスプレでツインテール（両サイドで結ったもの）をしても、ウィッグキャップ１や地毛がウィッグパーツ２の隙間から覗いてしまうことがなくなり、安心してコスプレを楽しむことができる。【選択図】図１
0003194679.tif 000002
【実用新案登録請求の範囲】
【請求項１】
紐状体に人造毛髪を植毛したウィッグパーツを、ネット状のウィッグキャップに所定間隔で取り付けたウィッグであって、
ウィッグキャップの頭頂部より下方の人造毛髪を持ち上げるようにセットしたときに、ウィッグキャップ又は地毛が外側から見えにくくなるように、該セット箇所のウィッグパーツ同士の間隔を詰めて配置したことを特徴とするウィッグ。
【請求項２】
前記セット箇所のウィッグパーツの取り付け段数を２５〜５０段としたことを特徴とする請求項１記載のウィッグ。
【請求項３】
前記セット箇所のウィッグパーツ間の隙間を１〜４ｍｍｍとしたことを特徴とする請求項１記載のウィッグ。
【考案の詳細な説明】
【技術分野】
【０００１】
本考案は、ウィッグに関するものであって、特にコスプレに使用するウィッグに好適である。
【背景技術】
【０００２】
従来のかつらは、紐状体の片側に人造毛髪２十数本から数十本束ねた毛髪束を所定の間隔で植毛したミノを、半円球をなすネット状の植毛基布の表面全体に、所定の間隔で取付けて形成されている。このかつらは、ネット状の植毛基布を内側にして、頭に被ることにより自由な髪型に変えることができる。
【０００３】
基礎材料となるミノは、紐状体に毛髪束を所定の間隔で植毛したもので、機械で連続生産され、従来のかつらは、紐状体の単位長さ当たりの植毛本数が同じであり、このミノを植毛基布の全体に取付けている。このため、かつらの額部分の髪を上げると、人造毛髪の単位長さ当たりの本数が全体で同じであるため、地髪のように額との境の生えぎわが自然にならず、かつらを被っていることが分かってしまう問題があった。そこで、例えば特許文献１に示すように、額と地髪の境の生えぎわに相当するフロント部分の植毛本数を他の部分より少なくして、自然の地髪のように見せることができるかつらが考案された（特許文献１参照）。
【考案の概要】
【考案が解決しようとする課題】
【０００４】
特許文献１のように、通常、かつらは地毛となじませるものであるから、地毛に近い濃い色の髪や、おとなしい髪形などが好まれる。これに対して、特にコスプレに使用するウィッグは、地毛となじませることはないから、地毛とは無関係に淡い色の髪や、はでな髪形などが好んで使用される。
【０００５】
かかる従来のウィッグで、通常のロングヘアなどとしても特に問題はないが、大げさなツインテール（両サイドで結ったもの）をしようとすると、植毛基布に相当するウィッグキャップや地毛が、ミノに相当するウィッグパーツの隙間から覗いてしまうことがある。
【０００６】
しかし、従来のウィッグで、ウィッグパーツを単純に詰めて縫い付けたのでは、（１）コストが高くなり、利益が合わないこと、（２）通気性がわるくなり、長時間の使用で蒸れたりすること、（３）ウィッグパーツや毛の量を増やすことで、ウィッグそのものが重くなるから、かかる対策はとりえないものとされていた。
【０００７】
本考案は上記事情に鑑みてなされたものであり、その目的とするところは、結い上げに特化させたウィッグを提供することである。
【課題を解決するための手段】
【０００８】
本考案は、紐状体に人造毛髪を植毛したウィッグパーツを、ネット状のウィッグキャップに所定間隔で取り付けたウィッグであって、ウィッグキャップの頭頂部より下方の人造毛髪を持ち上げるようにセットしたときに、ウィッグキャップ又は地毛が外側から見えにくくなるように、該セット箇所のウィッグパーツ同士の間隔を詰めて配置したことを特徴とするものである。
【０００９】
本考案によれば、ウィッグキャップの頭頂部より下方の人造毛髪を持ち上げるようにセットしたときに、ウィッグキャップ又は地毛が外側から見えにくくなるように、該セット箇所のウィッグパーツ同士の間隔を詰めて配置したので、例えばコスプレでツインテール（両サイドで結ったもの）をしても、ウィッグキャップや地毛がウィッグパーツの隙間から覗いてしまうことがなくなる。したがって、安心してコスプレを楽しむことができる。
【００１０】
請求項２記載の考案のように、前記セット箇所のウィッグパーツの取り付け段数を２５〜５０段とすることが好ましい。
【００１１】
請求項２記載の考案によれば、前記セット箇所のウィッグパーツの取り付け段数を２５〜５０段としたので、従来のウィッグで、ウィッグパーツを単純に詰めて縫い付けた場合のように、（１）コストが高くなり、利益が合わないこと、（２）通気性がわるくなり、長時間の使用で蒸れたりすること、（３）ウィッグパーツや毛の量を増やすことで、ウィッグそのものが重くなるといった種々の不具合を解消できる。
【００１２】
請求項３記載の考案のように、前記セット箇所のウィッグパーツ間の隙間を１〜４ｍｍとすることが好ましい。
【００１３】
請求項３記載の考案によれば、前記セット箇所のウィッグパーツ間の隙間を１〜４ｍｍとしたので、従来のウィッグで、ウィッグパーツを単純に詰めて縫い付けた場合のように、（１）コストが高くなり、利益が合わないこと、（２）通気性がわるくなり、長時間の使用で蒸れたりすること、（３）ウィッグパーツや毛の量を増やすことで、ウィッグそのものが重くなるといった種々の不具合を解消できる。
【考案の効果】
【００１４】
本考案によれば、ウィッグキャップの頭頂部より下方の人造毛髪を持ち上げるようにセットしたときに、ウィッグキャップ又は地毛が外側から見えにくくなるように、該セット箇所のウィッグパーツ同士の間隔を詰めて配置したので、例えばコスプレでツインテール（両サイドで結ったもの）をしても、ウィッグキャップや地毛がウィッグパーツの隙間から覗いてしまうことがなくなる。したがって、安心してコスプレを楽しむことができる。
【図面の簡単な説明】
【００１５】
【図１】本考案の一実施形態に係るウィッグの説明図であって、（ａ）はウィッグキャップの側断面図、（ｂ）はウィッグパーツの拡大正面図である。
【図２】ウィッグパーツの段数と隙間との関係での評価結果を示す説明図である。
【図３】本実施形態に係るウィッグをツインテールにした様子を示す説明図である。
【図４】図３のウィッグキャップ（後方）の裏面を示す説明図である。
【図５】図３のウィッグキャップ（前方）の裏面を示す説明図である。
【図６】セット例（前方）を示す説明図である。
【図７】セット例（後方）を示す説明図である。
【図８】セット例の髪の毛根元部分を拡大して示す説明図である。
【図９】従来の一例におけるウィッグをツインテールにした様子を示す説明図である。
【図１０】図９のウィッグキャップ（後方）の裏面を示す説明図である。
【図１１】図９のウィッグキャップ（前方）の裏面を示す説明図である。
【考案を実施するための形態】
【００１６】
図１は本考案の一実施形態に係るウィッグ１０の説明図であって、（ａ）はウィッグキャップ１の側断面図、（ｂ）はウィッグパーツ２の拡大正面図である。なお、図１（ａ）中の右側がウィッグ１０の前方、左側がウィッグ１０の後方をそれぞれ示している。また、ウィッグ１０ａは、従来のウィッグに相当するものであるが、今回開発したウィッグ１０と区別するため、添え字「ａ」をつけている（以下、同様である）。
【００１７】
本実施形態に係るウィッグ１０は、留め金等を除くと、概ね合成繊維製のものであって、図１（ａ）に示すように、略半球に形成したウィッグキャップ１の頭頂部につむじの渦をつくるためのネットＡが設けられており、その下方に複数の列をなすネットＢには、ウィッグパーツ２が上下方向に所定間隔を開けて幾重にも縫い付けられるようになっている。
【００１８】
ウィッグパーツ２は、図１（ｂ）に示すように、紐状体３の片側に人造毛髪４を植毛したものである。この植毛構造は、紐状体３の片側に人造毛髪４を十数本から数十本束ねた毛髪束を所定の間隔で植毛したものを機械で連続生産したものである。
【００１９】
ところで、従来のウィッグ１０ａでは、コスプレでツインテールを結ってみると、ウィッグキャップ１や地毛がウィッグパーツ２の隙間から覗いてしまうといった問題があったが、これは、従来のウィッグ１０ａでは、ネットＢにウィッグパーツ２を単純に詰めて縫い付けるような対策をとったのでは、（１）コストが高くなり、利益が合わないこと、（２）通気性がわるくなり、長時間の使用で蒸れたりすること、（３）ウィッグパーツ２や毛の量を増やすことで、ウィッグ１０そのものが重くなるため、かかる対策を取りえなかったからである。
【００２０】
そこで、本考案者は、ウィッグ１０のウィッグキャップ１の頭頂部より下方の人造毛髪を持ち上げるようにセットしたときに、ウィッグキャップ１又は地毛が外側から見えにくくなるように、該セット箇所のウィッグパーツ２同士の間隔を詰めて配置することとした。
【００２１】
そのために、ウィッグキャップ１のネットＢにおけるウィッグパーツ２の段数と隙間とを変化させたウィッグ１０（１０ａ）をつくり評価を行った。ただし、その評価の妥当性を担保するために、今回開発したウィッグ１０と、従来のウィッグ１０ａとは、前記ウィッグパーツ２の段数と隙間以外の条件を合わせている。
【００２２】
具体的には、ウィッグ１０（１０ａ）のウィッグキャップ１は、いずれも女性の平均的な頭部にフィットするような形状寸法のネットＡ，Ｂとしている。また、ウィッグパーツ２は、制作しやすい形状寸法の紐状体３と、コスプレに使用する大げさな髪形をもたやすく実現できるような、人造毛髪４の太さ、質、量、色合いなどとしている。
【００２３】
図３〜図１１は本評価に使用したウィッグ１０（１０ａ）を示す。まず、従来のウィッグ１０ａは、ウィッグパーツ２が１５〜２０段であるが、これらの場合は、ツインテールを結ってみると、図９に示すように、キャップや地毛がパーツの隙間から覗いている。そのウィッグキャップ１の後方部分を裏面からみると、図１０に示すように、ウィッグキャップ１のネットＢに配置されたウィッグパーツ２の間隔が大きくあいている。一方、そのウィッグキャップ１の前方部分を裏面からみると、図１１に示すように、ウィッグキャップ１のネットＡに配置されたウィッグパーツ２の隙間がほとんどみえない。
【００２４】
ついで、今回開発したウィッグ１０は、ウィッグパーツ２を２５〜５０段であるが、これらの場合は、ツインテールを結ってみると、図３に示すように、ウィッグキャップ１や地毛がウィッグパーツ２の隙間からまったく覗いていない。そのウィッグキャップ１の後方部分を裏面からみると、図４に示すように、ウィッグキャップ１のネットＢに配置されたウィッグパーツ２の間隔が小さいことがわかる。一方、そのウィッグキャップ１の前方部分を裏面からみると、図５に示すように、ウィッグキャップ１のネットＡに配置されたウィッグパーツ２の隙間がほとんどみえない。
【００２５】
そして、今回開発したウィッグ１０をセットしてみると、図６に示すように、前方からみても、図７に示すように、後方からみても、ウィッグキャップ１や地毛がウィッグパーツ２の隙間からまったく覗いていない。念のために、髪の毛根元部分を拡大しても、図８に示すように、ウィッグキャップ１や地毛がウィッグパーツ２の隙間からまったく覗いていないことがわかる。
【００２６】
しかしながら、ウィッグキャップ１のネットＢに５０段を超えるウィッグパーツ２をぎっしりと詰めて縫い付けたのでは、（１）コストが高くなり、利益が合わないこと、（２）通気性がわるくなり、長時間の使用で蒸れたりすること、（３）ウィッグパーツ２や毛の量を増やすことで、ウィッグ１０そのものが重くなるなどの不具合が発生する。
【００２７】
図２はウィッグパーツ２の段数と隙間との関係での評価結果を示す説明図である。すなわち、図２において、従来のウィッグ１０ａのように、ウィッグパーツ２を１５〜２０段とすると、ウィッグキャップ１や地毛がウィッグパーツ２の隙間から覗いてしまうが（同図２中の●印で示すＮＧ）、このときのウィッグパーツ２の隙間は６〜９ｍｍであった。一方。今回開発したウィッグ１０のように、ウィッグパーツ２を２５〜５０段とすると、ウィッグキャップ１や地毛がウィッグパーツ２の隙間からほとんど覗くことがなくなり（同図２中の○印で示すＯＫ）、このときのウィッグパーツ２の隙間は１〜４ｍｍであった。
【００２８】
ここで、図１（ａ）に示すＢ部分の長さＬと、図１（ｂ）に示す紐状体３の幅αとを用いると、図２に示すウィッグパーツ２の段数Ｄと隙間Ｓとは、下記の関係式（１）が成立する。
Ｓ＝Ｌ／Ｄ−α      ・・・（１）
【００２９】
例えばＬ＝１８５ｍｍ、α＝３ｍｍとすると、Ｄ＝１５段のときには、Ｓ＝１８５／１５−３＝９ｍｍ、Ｄ＝２０段のときには、Ｓ＝１８５／２０−３＝６ｍｍとなり、Ｄ＝２５段のときには、Ｓ＝１８５／２５−３＝４ｍｍ、Ｄ＝５０段のときには、Ｓ＝１８５／５０−３＝１ｍｍとなることから、上記図２に示した数値が妥当なものであることがわかる。
【００３０】
上記構成のウィッグ１０を頭に被ると、髪型や髪の色を自由に変えることができる。またツインテール（両サイドで結ったもの）をしても、ウィッグキャップ１や地毛がウィッグパーツ２の隙間から覗いてしまうことがなくなる。したがって、安心してコスプレを楽しむことができる。
【００３１】
しかも、今回開発したウィッグ１０では、従来のウィッグ１０ａで、ウィッグパーツ２を単純に詰めて縫い付けた場合のように、（１）コストが高くなり、利益が合わないこと、（２）通気性がわるくなり、長時間の使用で蒸れたりすること、（３）ウィッグパーツや毛の量を増やすことで、ウィッグそのものが重くなるといった種々の不具合を解消できる。
【００３２】
なお、上記実施形態のウィッグ１０では、ツインテールを結った例を示しているが、単なるポニーテール等、任意の髪形とすることもできる。また、コスプレだけでなく、通常使用するウィッグにも使用できる。また、女性用だけでなく、男性用のウィッグにも使用できる。さらに、フルウィッグだけでなく、エクステンションと呼ばれる部分的なウィッグなどに使用することもできることはもちろんである。
【符号の説明】
【００３３】
１０  ウィッグ
１  ウィッグキャップ
２  ウィッグパーツ
３  紐状体
４  人造毛髪
Ａ，Ｂ  ウィッグキャップのネット
【先行技術文献】
【特許文献】
【００３４】
【特許文献１】特開平１１−３６１２６号公報
【図１】
0003194679.tif 000003
【図２】
0003194679.tif 000004
【図３】
0003194679.tif 000005
【図４】
0003194679.tif 000006
【図５】
0003194679.tif 000007
【図６】
0003194679.tif 000008
【図７】
0003194679.tif 000009
【図８】
0003194679.tif 000010
【図９】
0003194679.tif 000011
【図１０】
0003194679.tif 000012
【図１１】
0003194679.tif 000013